(57)【要約】【課題】塊状多結晶シリコンを梱包袋により梱包した梱包体のような同一形状の輸送物を複数収容でき、効率的に輸送を行うことを可能とする梱包箱であり、梱包箱からの各輸送物の取り出しを容易に行うことができる、作業性に優れた梱包箱を提供する。【解決手段】梱包箱１００は、複数段重ねて配置される格子部材１０Ａ〜１０Ｄと、各段の格子部材１０Ａ〜１０Ｄの間に配置される階層仕切り板２０Ａ〜２０Ｃと、少なくとも一段以上の格子部材１０Ａ〜１０Ｄの周囲を囲って、格子部材１０Ａ〜１０Ｄの積層方向に二段以上設けられる内側筒胴枠３０Ａ，３０Ｂと、二段以上の内側筒胴枠３０Ａ，３０Ｂの外側を囲う外側筒胴枠４０と、外側筒胴枠４０の下部に配置される底蓋５０Ｂと、外側筒胴枠４０の上部に配置される天蓋５０Ａとを備える。【選択図】      図２
2017019563.tif 000002
【特許請求の範囲】
【請求項１】
複数段重ねて配置される格子部材と、
各段の前記格子部材の間に配置される階層仕切り板と、
少なくとも一段以上の前記格子部材の周囲を囲って、該格子部材の積層方向に二段以上設けられる内側筒胴枠と、
二段以上の前記内側筒胴枠の外側を囲う外側筒胴枠と、
前記外側筒胴枠の下部に配置される底蓋と、
前記外側筒胴枠の上部に配置される天蓋とを備える梱包箱。
【請求項２】
前記内側筒胴枠は、前記格子部材を複数段ごとに囲う構成とすることを特徴とする請求項１に記載の梱包箱。
【請求項３】
前記格子部材は、帯板を縦横に相互に組み合わせた形状とされ、
前記格子部材の周囲に突出する各帯板の端部の突出長が、前記帯板どうしの間隔よりも短く形成されていることを特徴とする請求項１又は２に記載の梱包箱。
【請求項４】
前記内側筒胴枠と前記外側筒胴枠との間の間隔が、３ｍｍ以上２５ｍｍ以下に設けられていることを特徴とする請求項１から３のいずれか一項に記載の梱包箱。
【請求項５】
前記内側筒胴枠が少なくとも三枚のライナ間に中芯を配置してなる複両面段ボールにより形成されており、該内側筒胴枠の内周面側に配置される前記中芯の厚みが外周面側に配置される前記中芯の厚みよりも厚く形成されていることを特徴とする請求項１から４のいずれか一項に記載の梱包箱。
【請求項６】
前記底蓋には、前記外側筒胴枠の下端部の開口縁部の外側を囲んで立設する重ね縁部が設けられていることを特徴とする請求項１から５のいずれか一項に記載の梱包箱。
【請求項７】
請求項１から６のいずれか一項に記載の前記梱包箱を組み立てながら、該梱包箱内に複数の輸送物を複数段重ねて整列して収容する梱包方法であって、
前記底蓋上に前記内側筒胴枠を配置するとともに、この内側筒胴枠内に前記格子部材を配置して最下段の複数の小空間を形成し、
少なくとも前記最下段の前記小空間に前記輸送物を収容した後に、前記外側筒胴枠を前記内側筒胴枠の外側に配置することを特徴とする梱包方法。
【請求項８】
請求項６に記載の前記梱包箱を組み立てながら、該梱包箱内に複数の輸送物を複数段重ねて整列して収容する梱包方法であって、
前記底蓋上に最下段の前記内側筒胴枠を配置するとともに、この内側筒胴枠内に前記格子部材を配置して最下段の複数の小空間を形成し、
前記外側筒胴枠を配置する前の状態において、前記最下段の前記内側筒胴枠と前記底蓋の前記重ね縁部との間にスペーサを配置して、前記最下段の前記内側筒胴枠と前記重ね縁部との間に間隔をあけた状態を保持しておき、
少なくとも前記最下段の前記小空間に前記輸送物を収容した後、前記スペーサを取り外してから前記外側筒胴枠を前記内側筒胴枠の外側に配置することを特徴とする梱包方法。
【請求項９】
請求項１から６のいずれか一項に記載の前記梱包箱を開梱して、該梱包箱の前記内側筒胴枠の内部空間を前記格子部材と前記階層仕切り板とで区画して形成された各小空間に収容された複数の輸送物を取り出す方法であって、
最上段より下側のいずれかの内側筒胴枠内の前記小空間から前記輸送物を取り出す前に、前記外側筒胴枠を取り外すことを特徴とする取出方法。
【請求項１０】
前記輸送物は、多結晶シリコンを梱包した梱包体であることを特徴とする請求項７又は８に記載の梱包方法。
【請求項１１】
前記輸送物は、多結晶シリコンを梱包した梱包体であることを特徴とする請求項９に記載の取出方法。
【発明の詳細な説明】
【技術分野】
【０００１】
本発明は、単結晶シリコンを製造する際に溶融原料として用いる多結晶シリコン等の輸送物を梱包対象とする梱包箱及び梱包方法並びに取出方法に関する。
【背景技術】
【０００２】
単結晶シリコンを製造する方法の一つとしてチョクラルスキー法（以下、ＣＺ法と称する）が知られている。このＣＺ法は、無転移あるいは格子欠陥が極めて少ない状態で大口径、高純度のシリコン単結晶が容易に得られるといった利点を有している。
ＣＺ法では、高純度の多結晶シリコンを石英ルツボ内に入れて加熱炉で溶融させ、このシリコン溶融液にワイヤで吊り下げた種結晶（シリコン単結晶）を接触させ、回転させつつ徐々に引き上げてシリコン単結晶を成長させる。
ＣＺ法で使用される高純度多結晶シリコンは、ルツボ充填時の容積効率を高くするために、棒状で形成された多結晶シリコンのロッドを切断又は破砕等で塊状に適宜のサイズに調整され、その後、洗浄や乾燥処理を経て、表面汚染を避けるために包装及び梱包がなされ、梱包体として出荷等に供される。
【０００３】
近年、地球温暖化防止の観点より、物品等を包装や梱包する際の梱包材料については、廃棄や焼却処分等の低減、あるいは再利用等が求められている。また、極力少ない梱包材料による梱包方法や、処分や作業性の面で環境等への負担がかからないような梱包方法が求められている。
【０００４】
例えば、特許文献１では、直方体形状の胴部内を格子状間仕切りで仕切り、格子状間仕切りにより区画される物品収納空間に複数の物品を挿入し、その状態で物品を上部緩衝材と下部緩衝材との間に両緩衝材の弾力で挟持する梱包構造が開示されている。この梱包構造では、ペレット状の緩衝材を使用しないことや、個別包装をしないことで、梱包材料の使用量の低減やそれに伴う作業性の向上が期待できる他、胴部や格子状間仕切りを段ボール紙製とすることで、材料コストや成形加工コストの低減が期待できるとしている。
また、特許文献２には、精密機器や精密部品等の商品を複数収容する梱包箱（梱包手段）が開示されている。この梱包箱は、底蓋と、複数の収容ケースと、底蓋の四隅に設置される４本のコーナーボードと、収容ケース間に挿入される複数のパッドと、天板と、これらの全体を囲むように被せられたスリーブとからなり、収容ケースとパッドとを交互に複数重ねることで、一定のスペースの中により多くの商品を収納できることが記載されている。
さらに、特許文献３では、通い箱を使用した物品等の収納・取出しに際し、通い箱側面に開口部を設け、開口部を閉塞もしくは開放可能な開閉部材を設けることで作業の効率が向上することが開示されている。
【先行技術文献】
【特許文献】
【０００５】
【特許文献１】特開２００８‐１７４２５５号公報
【特許文献２】特開２０１１‐２０７５２４号公報
【特許文献３】特開２０１１‐１６５４９号公報
【発明の概要】
【発明が解決しようとする課題】
【０００６】
ところが、特許文献１による梱包構造では、複数の物品を損傷なく収容する方法としては効果は期待できるものの、梱包方法としては胴部内に格子状間仕切りを挿入した状態で物品収納空間に物品を落とし込むため、物品を収容しにくいという問題がある。特に物品が重量物であれば作業性が低下する可能性がある。
また、特許文献２のような梱包手段では、梱包する数量や段数にもよるが、段数が多くなる程多くの商品を輸送できるというメリットがある反面、収容ケースの数も増え、商品取り出し後の収容ケースの処分量も増えるという課題が残る。
特許文献３のような通い箱の例では、作業性の面では作業し易い仕様となっているが、複数回の繰り返しの使用を前提としており、強度や耐久性確保のため合成樹脂などの材質で構成されている。このため、処理コストや環境への負担が増加する課題がある。
【０００７】
ところで、前述した塊状の高純度の多結晶シリコンの梱包体は、製品の種類等にもよるが、およそ数ｋｇ〜１０ｋｇ／袋程度の梱包がなされる場合が多く、輸送の過程で包装袋の破損などが生じると多結晶シリコンが汚染され、品質が低下することになる。このため、輸送に使用される輸送箱は、一定の強度や耐久性が求められる。一般に、輸送箱の強度を高めるためには、輸送箱の材料の板厚を厚くしたり、その材料の材質自体が破損しにくいような強度を有する材質等を使用する必要がある。しかし、上述したように、使用後の処理負担や費用の増加に繋がる。
また、特許文献３のような輸送部品を収容または取り出しする開口部や閉塞・開放可能な開閉部材を、例えば特許文献１の胴部や、特許文献２のスリーブの一部に設ける場合、胴部やスリーブの強度が低下する可能性があり、重量物などの輸送を行う場合は、製品品質への影響が出るおそれがある。
【０００８】
本発明は、このような事情に鑑みてなされたもので、塊状多結晶シリコンの梱包体のような概略同一形状の輸送物を複数収容でき、輸送物が重量物の場合でも損傷なく効率的に輸送を行うことが可能であり、梱包箱からの各輸送物の取り出しを容易に行うことができる、作業性に優れた梱包箱及び梱包方法並びに取出方法を提供することを目的とする。
【課題を解決するための手段】
【０００９】
本発明の梱包箱は、複数段重ねて配置される格子部材と、各段の前記格子部材の間に配置される階層仕切り板と、少なくとも一段以上の前記格子部材の周囲を囲って、該格子部材の積層方向に二段以上設けられる内側筒胴枠と、二段以上の前記内側筒胴枠の外側を囲う外側筒胴枠と、前記外側筒胴枠の下部に配置される底蓋と、前記外側筒胴枠の上部に配置される天蓋とを備える。なお、ここで「筒胴枠」とは、角筒、円筒など、上下が開放され壁面で囲まれた中空の枠体を指している。
【００１０】
この梱包箱では、内側筒胴枠の内部空間を、格子部材と階層仕切り板とによって複数の小空間に区画して、各小空間に個々の輸送物を収容することで、複数の輸送物を平面方向及び積層方向に整列して配置することができる。したがって、スペース効率の向上を図ることができ、複数の輸送物を効率的に輸送できる。
【００１１】
この梱包箱において、前記内側筒胴枠は、前記格子部材を複数段ごとに囲う構成であってもよい。
【００１２】
なお、本明細書では、梱包箱を構成する内側筒胴枠、格子部材及び階層仕切り板の各部材の段数は、内側筒胴枠、格子部材及び階層仕切り板のそれぞれにおいて、すなわち内側筒胴枠ごと、格子部材ごと、階層仕切り板ごとに段数を数えて表現するものとする。
上述したように、本発明の梱包箱において、二段以上に積み重ねた内側筒胴枠の外側に外側筒胴枠を設けて、梱包箱の筒胴部を二重構造に設けている。このため、二段以上設けられる内側筒胴枠のうち最上段から二段目の内側筒胴枠内の各小空間から輸送物を取り出す前に、外側筒胴枠、最上段の内側筒胴枠、この最上段の内側筒胴枠に囲まれた部分の格子部材及び階層仕切り板を取り外すことで、最上段を除いた下段側の内側筒胴枠及び、この下段側の内側筒胴枠に囲まれた部分の格子部材、階層仕切り板だけを残して、梱包箱全体の高さを低くすることができる。
なお、最上段の内側筒胴枠内の各小空間から輸送物を取り出す前に、外側筒胴枠を取り外しておき、その後に内側筒胴枠を順次取り外すこともできる。また、外側筒胴枠を取り外す前に、最上段の内側筒胴枠内から輸送物を取り出し、この最上段の内側筒胴枠及び、最上段の内側筒胴枠に囲まれた部分の格子部材及び階層仕切り板を取り外してもよい。いずれの場合も、二段以上設けられる内側筒胴枠のうち最上段から二段目の内側筒胴枠内の各小空間から輸送物を取り出す前に、外側筒胴枠を取り外しておくことで、梱包箱全体の高さを低くすることができる。これにより、下段側の内側筒胴枠の内部に収容された輸送物を容易に取り出すことができる。
【００１３】
また、内側筒胴枠と外側筒胴枠とは、それぞれが別々の筒形状を有し、輸送物はこれら内側筒胴枠と外側筒胴枠との二重構造により梱包されているため、梱包強度を十分に確保でき、外部からの衝撃が直接輸送物に伝わりにくい。つまり、二重構造の内側筒胴枠と外側筒胴枠との間に一定の空間が設けられているので、輸送時の梱包箱の横揺れによる振動や衝撃が吸収されやすく、輸送物の破損を低減できる。また、内側筒胴枠と外側筒胴枠とは容易に組み立て及び分解が可能な構造であるので、作業上の負担は小さくて済む。また、緩衝材等の使用の必要性もないため、梱包箱使用後の処理においても環境への影響が低減できる。
【００１４】
本発明の梱包箱において、前記格子部材は、帯板を縦横に相互に組み合わせた形状とされ、前記格子部材の周囲に突出する各帯板の端部の突出長が、前記帯板どうしの間隔よりも短く形成されているとよい。
【００１５】
各帯板の端部の突出長を帯板どうしの間隔よりも短く形成することで、格子部材の外周部（外周の帯板）と内側筒胴枠との間に小さな隙間で形成された緩衝空間を設けることもできる。このように緩衝空間を設けた場合、内側筒胴枠と輸送物との間に一定の空間を確保することができるので、さらに外部からの衝撃を輸送物に伝わりにくくできる。
一方、格子部材の周囲に突出する各帯板の端部の突出長を、それぞれの縦横に配列される帯板どうしの間隔と同じ長さに形成した場合は、内側筒胴枠の内部空間の全域を均等に分割した複数の小空間を区画できる。
【００１６】
本発明の梱包箱において、前記内側筒胴枠と前記外側筒胴枠との間の間隔が、３ｍｍ以上２５ｍｍ以下に設けられているとよい。
内側筒胴枠と外側筒胴枠の間に一定の間隔を設けることで、輸送時の横揺れに対する外部から輸送物への衝撃を緩和できる。この場合、内側筒胴枠と外側筒胴枠との間の間隔が３ｍｍ未満であると外部からの衝撃が輸送物に直接伝わりやすくなり、間隔が２５ｍｍを超えると外部から衝撃が加えられた際に内側筒胴枠及び外側筒胴枠が変形しやすくなり、外部から輸送物への衝撃緩和効果が小さくなる。
【００１７】
本発明の梱包箱において、前記内側筒胴枠が少なくとも三枚のライナ間に中芯を配置してなる複両面段ボールにより形成されており、該内側筒胴枠の内周面側に配置される中芯の厚みが外周面側に配置される中芯の厚みよりも厚く形成されているとよい。
内側筒胴枠を複両面段ボールにより形成し、複両面段ボールの中芯（フルート）の厚みが大きい側を、内側筒胴枠の内周面側に配置することで、輸送物の破損低減効果を高めることができる。また、高い梱包強度が必要な場合は、段ボールのライナを４枚以上に増やしてもよい。
【００１８】
本発明の梱包箱において、前記底蓋には、前記外側筒胴枠の下端部の開口縁部の外側を囲んで立設する重ね縁部が設けられているとよい。
【００１９】
この梱包箱においては、梱包箱の内部に輸送物を梱包する際において、底蓋の重ね縁部と最下段の内側筒胴枠との間に後述するようにスペーサを配置することができる。
【００２０】
本発明の梱包方法は、前記梱包箱を組み立てながら、該梱包箱内に複数の輸送物を複数段重ねて整列して収容する梱包方法であって、前記底蓋上に前記内側筒胴枠を配置するとともに、この内側筒胴枠内に前記格子部材を配置して最下段の複数の小空間を形成し、少なくとも前記最下段の前記小空間に前記輸送物を収容した後に、前記外側筒胴枠を前記内側筒胴枠の外側に配置することを特徴とする。
【００２１】
下段側の内側筒胴枠内の各小空間に輸送物を収容した後に外側筒胴枠を配置することで、下段側の内側筒胴枠内の内部空間に輸送物を収容する際には、梱包箱全体の高さを低く維持できるので、下段側の内側筒胴枠の内部に輸送物を容易に収容することができる。
【００２２】
前記重ね縁部を有する前記梱包箱を組み立てながら、この梱包箱内に複数の前記輸送物を複数段重ねて整列して収容する本発明の梱包方法は、前記底蓋上に最下段の前記内側筒胴枠を配置するとともに、この内側筒胴枠内に前記格子部材を配置して最下段の複数の小空間を形成し、前記外側筒胴枠を配置する前の状態において、前記最下段の前記内側筒胴枠と前記底蓋の前記重ね縁部との間にスペーサを配置して、前記最下段の前記内側筒胴枠と前記重ね縁部との間に間隔をあけた状態を保持しておく。
【００２３】
梱包箱の内部に輸送物を梱包する際において、底蓋の重ね縁部と最下段の内側筒胴枠との間にスペーサを配置しておくことで、底蓋に対して内側筒胴枠を正確な位置に位置合わせして配置できるとともに、スペーサの厚みの分だけ、内側筒胴枠と重ね縁部との間に間隔をあけた状態を保持できる。そして、外側筒胴枠を内側筒胴枠の外側に配置する際にスペーサを取り外すことにより、重ね縁部と内側筒胴枠との間に設けられた空間に、容易に外側筒胴枠を挿入することができる。この場合、底蓋の面位置に対して、輸送物を概略中央部に配置及び積層することができるため、梱包箱の各部材を安定した状態で組み立てることができるので、輸送途中での梱包荷崩れを防止でき、輸送物を確実に保護できる。
【００２４】
本発明の取出方法は、前記梱包箱を開梱して、該梱包箱の前記内側筒胴枠の内部空間を前記格子部材と前記階層仕切り板とで区画して形成された各小空間に収容された複数の輸送物を取り出す方法であって、最上段より下側の内側筒胴枠内の前記小空間から前記輸送物を取り出す前に、前記外側筒胴枠を取り外すことを特徴とする。
【００２５】
内側筒胴枠のうち最上段から二段目の内側筒胴枠内の各小空間から輸送物を取り出す前に、外側筒胴枠を取り外しておくことで、梱包箱全体の高さを低くすることができる。これにより、下段側の内側筒胴枠の内部に収容された輸送物を容易に取り出すことができる。
【００２６】
また、本発明において、前記輸送物は、多結晶シリコンを梱包した梱包体である。
梱包箱に収容した梱包体は輸送中に荷崩れ等しにくく、梱包体を構成している包装袋への多結晶シリコンの過度な接触や摩擦による破損や摩耗等が生じ、それに伴う品質汚染や品質低下が発生することを抑制できる。
【発明の効果】
【００２７】
本発明によれば、概略同一形状の輸送物を複数収容できるので効率的に輸送を行うことができ、また、梱包箱からの各輸送物の取り出しを容易に行うことができる。また、本発明の梱包箱は、重量物を輸送する過程で求められる十分な強度を有し、輸送後の梱包資材の処理において、作業上の負荷が小さく、比較的少ない梱包資材であるため、環境への影響も低減できる。
【図面の簡単な説明】
【００２８】
【図１】本発明の第１実施形態の梱包箱を示す外観斜視図である。
【図２】図１に示す梱包箱のＡ‐Ａ断面図である。
【図３】図１に示す梱包箱を部材ごとに分解した分解斜視図である。
【図４】梱包箱の下段側の内側筒胴枠の組み立て又は分解の途中経過を説明する斜視図である。
【図５】梱包箱の上段側の内側筒胴枠の組み立て又は分解の途中経過を説明する斜視図である。
【図６】梱包箱の最上段の格子部材及び階層仕切り板の組み立て又は分解の途中経過を説明する斜視図である。
【図７】梱包箱の天蓋の取付け又は取り外しの途中経過を説明する斜視図である。
【図８】塊状多結晶シリコンを梱包袋に収納して梱包体を形成する手順を説明する図である。
【図９】梱包箱の外側筒胴枠の載置タイミングを説明する斜視図である。
【図１０】梱包箱の内側筒胴枠と外側筒胴枠との関係を説明する要部図である。
【図１１】輸送時の梱包箱を示す外観斜視図である。
【図１２】本発明の第２実施形態の梱包箱を示す断面図であり、二段の内側筒胴枠を有する場合の一例である。
【図１３】本発明の第３実施形態の梱包箱を示す断面図であり、二段の内側筒胴枠を有する場合の一例である。
【図１４】本発明の第４実施形態の梱包箱を示す断面図であり、二段の内側筒胴枠を有する場合の一例である。
【図１５】本発明の第５実施形態の梱包箱を示す断面図であり、二段の内側筒胴枠を有する場合の一例である。
【図１６】本発明の第６実施形態の梱包箱を示す断面図であり、三段の内側筒胴枠を有する場合の一例である。
【図１７】本発明の第７実施形態の梱包箱を示す断面図であり、三段の内側筒胴枠を有する場合の一例である。
【図１８】本発明の第８実施形態の梱包箱を示す断面図であり、三段の内側筒胴枠を有する場合の一例である。
【図１９】本発明の第９実施形態の梱包箱を示す断面図であり、緩衝空間を有する場合の一例である。
【図２０】図１９に示す梱包箱の組み立て又は分解の途中経過を説明する斜視図である。
【発明を実施するための形態】
【００２９】
以下、本発明を、塊状多結晶シリコンの梱包体を収容するシリコン用の梱包箱に適用した実施形態について図面を参照して説明する。なお、以下に示す実施形態は本発明に係る梱包箱の一例である。
図１〜図３は、本発明の第１実施形態の梱包箱１００であり、塊状多結晶シリコンを収納した梱包体９０を内部に複数収容することができ、これら梱包体９０を複数同時に輸送可能とするものである。
【００３０】
本実施形態の梱包箱１００は、図１に示すように、直方体形状に設けられる。また、梱包箱１００は、図２及び図３に示すように、複数段重ねて配置される格子部材１０Ａ〜１０Ｄと、各段の格子部材１０Ａ〜１０Ｄの間に配置される階層仕切り板２０Ａ〜２０Ｃと、少なくとも一段以上の格子部材１０Ａ〜１０Ｄの周囲を囲って、格子部材１０Ａ〜１０Ｄの積層方向に二段設けられる内側筒胴枠３０Ａ，３０Ｂと、これら二段設けられる内側筒胴枠３０Ａ，３０Ｂの外側を囲う外側筒胴枠４０と、外側筒胴枠４０の下部に配置される底蓋５０Ｂと、外側筒胴枠４０の上部に配置される天蓋５０Ａとを備える。
【００３１】
また、図示例の梱包箱１００においては、四段の格子部材１０Ａ〜１０Ｄを備えている。さらに、梱包箱１００には、これらの四段の格子部材１０Ａ〜１０Ｄのうち、上側二段の格子部材１０Ａ，１０Ｂの周囲を囲って上段側の内側筒胴枠３０Ａが設けられ、下側二段の格子部材１０Ｃ，１０Ｄの周囲を囲って下段側の内側筒胴枠３０Ｂが設けられ、上下二段の内側筒胴枠３０Ａ，３０Ｂが備えられている。
【００３２】
次に、梱包箱１００を構成する各部材について説明する。
外側筒胴枠４０は、図２及び図３に示すように、直方体の上端部と下端部とを開口した筒状に設けられ、強化用段ボール紙により形成される。なお、外側筒胴枠４０の段ボール紙には、二枚の平面状のライナの間に、コルゲート形状（波状）に形成された一層の中芯を配置してなる両面段ボールを用いる他、二層以上の中芯を備える複両面段ボールや複々両面段ボール等の各種の段ボール紙を用いることができるが、例えば図１０に示すように、四枚の平面状のライナ４４〜４７の間にそれぞれコルゲート形状に形成された三層の中芯４１〜４３を配置してなる複々両面段ボールを好適に用いることができる。なお、外側筒胴枠４０においては、ライナ４４〜４７と中芯４１〜４３との間に形成される空洞部の長さ方向を外側筒胴枠４０の上下方向に沿って配置することで、外側筒胴枠４０の上下方向に対する強度が高く設けられている。
【００３３】
内側筒胴枠３０Ａ，３０Ｂは、図２及び図３に示すように、直方体の上端部と下端部とを開口した筒状に設けられ、段ボール紙（例えば厚さ８ｍｍ程度）により形成される。内側筒胴枠３０Ａ，３０Ｂの段ボール紙には、外側筒胴枠４０と同様に、両面段ボール、複両面段ボール又は複々両面段ボール等の各種の段ボール紙を用いることができるが、例えば図１０に示すように、少なくとも三枚の平面状のライナ３３〜３５の間にそれぞれコルゲート形状に形成された二層の中芯３１，３２を配置してなる複両面段ボールを好適に用いることができる。この場合、内側筒胴枠３０Ａ，３０Ｂの内周面側に配置される中芯３２の厚みが外周面側に配置される中芯３１の厚みよりも厚く形成されているとよい。このような複両面段ボールとしては、例えば、厚み約５ｍｍの中芯と、それよりも厚みが小さい厚み約３ｍｍの中芯とを組み合わせたものが挙げられる。なお、内側筒胴枠３０Ａ，３０Ｂにおいても、外側筒胴枠４０と同様に、ライナ３３〜３５と中芯３１，３２との間に形成される空洞部の長さ方向を内側筒胴枠３０Ａ，３０Ｂの上下方向に沿って配置することで、内側筒胴枠３０Ａ，３０Ｂの上下方向に対する強度が高く設けられている。
【００３４】
また、内側筒胴枠３０Ａ，３０Ｂは、図２に示すように、それぞれ外側筒胴枠４０の高さの略半分の高さに設けられており、外側筒胴枠４０の内側に上下二段の内側筒胴枠３０Ａ，３０Ｂを高さ方向に並べて配置することにより、梱包箱１００の筒胴部が二重構造に設けられる。また、内側筒胴枠３０Ａ，３０Ｂと外側筒胴枠４０との間の間隔Ｃは、３ｍｍ以上２５ｍｍ以下に設けられている。
【００３５】
階層仕切り板２０Ａ〜２０Ｃは、段ボール紙により平板状に形成されている。
また、格子部材１０Ａ〜１０Ｄは、ポリプロピレン等のプラスチック樹脂で形成されたプラスチック製段ボールにより形成される。なお、格子部材１０Ａ〜１０Ｄは、段ボール紙で形成することもできる。ただし、格子部材１０Ａ〜１０Ｄを段ボール紙で形成した場合、輸送物が重量物のような場合に、輸送中の振動や各小空間内での輸送物と格子部材との接触により格子部材が変形したり、格子部材の吸湿等による変形により輸送物の小空間内での安定性が低下する。このため、輸送物への損傷を低減するために、格子部材１０Ａ〜１０Ｄをプラスチック製段ボールにより形成する構成とするとよい。
【００３６】
格子部材１０Ａ〜１０Ｄは、例えば、帯板１１を縦横に相互に組み合わせることにより、図３に示すように、格子状に組み立てられる。具体的には、各帯板１１に高さの半分程度まで切り込みを形成しておき、それぞれの切り込み位置で帯板１１どうしを結合することにより、容易に組み立て可能なものである。なお、格子部材１０Ａ〜１０Ｄ（帯板１１）の高さは、収容される梱包体９０の高さよりも若干高く設けられる。また、縦方向及び横方向に配置された各帯板１１は、図４に示すように、それぞれが同一の間隔Ｌ１で等間隔に配置されている。そして、各格子部材１０Ａ〜１０Ｄの周囲に突出する各帯板１１の端部の突出長Ｌ２が、帯板１１どうしの間隔Ｌ１と同じ長さに形成されている。なお、格子部材１０Ａ〜１０Ｄの帯板１１どうしの間隔は、本実施形態のように縦方向と横方向に同じ長さ（間隔Ｌ１）で形成する形態に限定されるものではない。格子部材の縦方向と横方向とで間隔Ｌ１の大きさを変更することにより、長方形に開口した形態とすることもでき、収容される輸送物の形状に合わせて変更される。
【００３７】
そして、これら格子部材１０Ａ〜１０Ｄと階層仕切り板２０Ａ〜２０Ｃとを交互に重ねて組み合わせることにより、図２に示すように、内側筒胴枠３０Ａ，３０Ｂの内部空間が、格子部材１０Ａ〜１０Ｄと階層仕切り板２０Ａ〜２０Ｃとによって、平面方向及び積層方向に整列した複数の小空間１５に区画される。
【００３８】
天蓋５０Ａと底蓋５０Ｂとは同一形状とされ、段ボール紙により形成されており、図１〜図３に示すように、上下対称に配置される。そして、天蓋５０Ａと底蓋５０Ｂは、平面部５１の周縁部に外側筒胴枠４０の上下端部の開口縁部の外側を囲んで立設する重ね縁部５２が設けられた形状とされる。
【００３９】
なお、梱包箱１００を構成する各部材は主に段ボール紙で形成されているが、段ボール紙には、両面段ボール、複両面段ボール又は複々両面段ボール等の各種の段ボール紙を適宜に用いることができる。また、梱包箱１００を構成する各部材は、段ボール紙で形成されたものに限定されるものではなく、他の材料で形成することもできる。
【００４０】
次に、このようにして構成される梱包箱１００を組み立てて複数の梱包体９０を収容する梱包方法と、梱包体９０を梱包した梱包箱１００を開梱して梱包体９０を取り出す取出方法について説明する。
なお、梱包箱１００に収容される梱包体９０は、例えば、図８（ａ）に示すように、単結晶シリコンの原料となる最大辺長約３ｍｍ〜１４０ｍｍの塊状多結晶シリコンＷを、およそ５ｋｇずつ梱包袋９１に収納して形成されるものであり、図８（ｂ）に示すように、略立方体又は略直方体の形状に設けられる。
【００４１】
まず、図４に示すように、作業台８０上に底蓋５０Ｂを載置する。なお、作業台８０は、昇降しない固定台でもよいが、昇降可能な昇降台により構成することもできる。作業台８０を昇降台で構成した場合には、梱包作業や取出作業が容易な高さ位置に作業台８０を調整して作業を行うことができる。そして、作業台８０上に底蓋５０Ｂを載置した後、底蓋５０Ｂ上に下段側（最下段）の内側筒胴枠３０Ｂを載置する。この際、下段側の内側筒胴枠３０Ｂと底蓋５０Ｂの重ね縁部５２との間にスペーサ６０を配置する。図４では、内側筒胴枠３０Ｂと底蓋５０Ｂの角部の間にＬ型のスペーサ６０を設けているが、辺部の中間位置に平板状のスペーサを設けることもでき、またＬ型のスペーサと平板状のスペーサとを組み合わせて使用することもできる。なお、スペーサ６０は、厚みが１０ｍｍ以上４０ｍｍ以下に設けられており、スペーサ６０により、底蓋５０Ｂに対して内側筒胴枠３０Ｂが位置合わせされるとともに、そのスペーサ６０の厚みの分だけ、内側筒胴枠３０Ｂと重ね縁部５２との間に間隔をあけた状態が保持される。
【００４２】
そして、この内側筒胴枠３０Ｂの内部空間に格子部材１０Ｄを挿入し、底蓋５０Ｂ上に載置する。続いて、格子部材１０Ｄにより区画された各小空間１５内に、梱包体９０を１個ずつ収容する。この最下段の格子部材１０Ｄにより区画された各小空間１５内にそれぞれ梱包体９０を収容した後、階層仕切り板２０Ｃを内側筒胴枠３０Ｂ内に挿入して格子部材１０Ｄ上に載置する。さらに、この階層仕切り板２０Ｃ上に格子部材１０Ｃを載置し、格子部材１０Ｃを内側筒胴枠３０Ｂ内に挿入することにより、階層仕切り板２０Ｃを介して格子部材１０Ｄと格子部材１０Ｃとを積層し、内側筒胴枠３０Ｂと格子部材１０Ｃとによって区画された複数の小空間１５を形成する。
【００４３】
次に、図５に示すように、下側から二段目の格子部材１０Ｃにより区画された各小空間１５内に梱包体９０を収容した後、下段側の内側筒胴枠３０Ｂ上に上段側（最上段）の内側筒胴枠３０Ａを載置する。この際、梱包作業を行い易くするために、作業台８０の高さを調整してもよい。続いて、格子部材１０Ｃ上に階層仕切り板２０Ｂを載置する。そして、内側筒胴枠３０Ａの内部空間に格子部材１０Ｂを挿入し、階層仕切り板２０Ｂ上に載置することで、格子部材１０Ｂ〜１０Ｄを三段に重ねた状態とする。
【００４４】
そして、図６に示すように、下側から三段目の格子部材１０Ｂにより区画された各小空間１５内に、梱包体９０を収容した後、階層仕切り板２０Ａを内側筒胴枠３０Ａ内に挿入して、格子部材１０Ｂ上に載置する。次いで、格子部材１０Ａをこの階層仕切り板２０Ａ上に載置し、内側筒胴枠３０Ａ内に挿入することにより、格子部材１０Ａ〜１０Ｄを四段に重ねた状態とする。そして、図７に示すように、下側から四段目、すなわち最上段の格子部材１０Ａにより区画された各小空間１５内に梱包体９０を収容した後、スペーサ６０を取り外し、底蓋５０Ｂの重ね縁部５２と下段側の内側筒胴枠３０Ｂとの間に設けられた一定の空間に外側筒胴枠４０を挿入し、底蓋５０Ｂ上に外側筒胴枠４０を載置して、上段側の内側筒胴枠３０Ａ及び下段側の内側筒胴枠３０Ｂの外側を外側筒胴枠４０で囲った状態にする。その後、天蓋５０Ａを被せて、梱包を完了する。
【００４５】
なお、梱包体９０が収容された梱包箱１００は、例えば図１１に示すように、上下方向に紐９２等が掛けられ、天蓋５０Ａと底蓋５０Ｂの位置が外側筒胴枠４０の位置に対して上下方向に偏ることがないように、上下方向の位置が固定される。また、梱包箱１００内部の梱包体９０が、濡れたり、汚れたりすることがないように、図１１に二点鎖線で示すように、梱包箱１００の周囲をビニール９３等で包装した状態で輸送される。
【００４６】
一方、梱包箱１００から梱包体９０を取り出す際には、梱包方法の流れとは逆の手順で、図７に示すように、天蓋５０Ａを取り外すとともに、外側筒胴枠４０を取り外し、最上段の格子部材１０Ａ及びこの格子部材１０Ａにより区画された小空間１５内に収容された梱包体９０を露出させる。そして、この最上段の格子部材１０Ａにより区画された小空間１５内の梱包体９０を取り出した後、図６に示すように、内側筒胴枠３０Ａ内の格子部材１０Ａと階層仕切り板２０Ａとを取り外して、格子部材１０Ｂ及びこの格子部材１０Ｂにより区画された小空間１５内に収容された梱包体９０を露出させる。この格子部材１０Ｂにより区画された小空間１５内の梱包体９０を取り出した後、さらに図５に示すように、格子部材１０Ｂ、上段側の内側筒胴枠３０Ａ、及び階層仕切り板２０Ｂを取り外す。これにより、下段側の内側筒胴枠３０Ｂ及び、この内側筒胴枠３０Ｂに囲まれた部分だけを残して、梱包箱１００全体の高さを低くすることができる。なお、梱包箱１００から梱包体９０を取り出す作業も、梱包作業と同様に昇降可能な昇降台（作業台８０）上で行うことで、高さ位置を調整して作業を円滑に進めることが可能である。
【００４７】
そして、内側筒胴枠３０Ｂ内の上側に配置される格子部材１０Ｃにより区画された小空間１５内に収容された梱包体９０を取り出した後、図４に示すように、内側筒胴枠３０Ｂ内の格子部材１０Ｃと階層仕切り板２０Ｃとを取り外して、最下段の格子部材１０Ｄ及びこの格子部材１０Ｄにより区画された小空間１５内に収容された梱包体９０を露出させ、梱包体９０を取り出す。
【００４８】
このように構成される梱包箱１００では、内側筒胴枠３０Ａ，３０Ｂの内部空間を、格子部材１０Ａ〜１０Ｄと階層仕切り板２０Ａ〜２０Ｃとによって、複数の小空間１５に区画して、各小空間１５に個々の梱包体９０（輸送物）を収容することで、複数の梱包体９０を平面方向及び積層方向に整列して配置することができる。したがって、スペース効率の向上を図ることができ、複数の梱包体９０を効率的に輸送できる。
また、二段に積み重ねた内側筒胴枠３０Ａ，３０Ｂの外側に外側筒胴枠４０を設けて、梱包箱１００の筒胴部を二重構造に設けている。このため、二段設けられる内側筒胴枠３０Ａ，３０Ｂのうち下段側の内側筒胴枠３０Ｂ内の各小空間１５から梱包体９０を取り出す前に、外側筒胴枠４０と上段側の内側筒胴枠３０Ａ、この上段側の内側筒胴枠３０Ａに囲まれた部分の格子部材１０Ａ，１０Ｂ及び階層仕切り板２０Ａ，２０Ｂを取り外すことにより、最上段を除いた下段側の内側筒胴枠３０Ｂ及びこの内側筒胴枠３０Ｂに囲まれた部分の格子部材１０Ｃ，１０Ｄ、階層仕切り板２０Ｃだけを残して、梱包箱１００全体の高さを低くすることができる。このため、下段側の内側筒胴枠３０Ｂの内部に収容された梱包体９０を容易に取り出すことができる。
【００４９】
なお、上記実施形態では、梱包箱１００に梱包体９０を梱包する際に、図７に示すように、上段側の内側筒胴枠３０Ａを下段側の内側筒胴枠３０Ｂ上に載置して組み合わせた後、これら内側筒胴枠３０Ａ，３０Ｂの外側に外側筒胴枠４０を配置して囲うこととしていたが、外側筒胴枠４０を配置するタイミングは、これに限定されるものではない。図９に示すように、下段側の内側筒胴枠３０Ｂ内の各小空間１５に梱包体９０を収容した後、上段側の内側筒胴枠３０Ａを下段側の内側筒胴枠３０Ｂ上に載置する前に外側筒胴枠４０を載置してもよい。
【００５０】
すなわち、外側筒胴枠４０は、二段設けられる内側筒胴枠３０Ａ，３０Ｂのうち下段側の内側筒胴枠３０Ｂ内の各小空間１５に梱包体９０を収容した後であれば、図９に示すように、上段側の内側筒胴枠３０Ａを配置する前に配置することもできるし、その他の異なるタイミングで外側筒胴枠４０を配置することとしてもよい。いずれの場合も、下段側の内側筒胴枠３０Ｂ内の各小空間１５に梱包体９０を収容した後に外側筒胴枠４０を配置することで、下段側の内側筒胴枠３０Ｂ内の内部空間に梱包体９０を収容する際には、梱包箱１００全体の高さを低く維持できるので、下段側の内側筒胴枠３０Ｂの内部に梱包体９０を容易に収容することができる。
【００５１】
また梱包箱１００から梱包体９０を取り出す際も同様であり、二段設けられる内側筒胴枠３０Ａ，３０Ｂのうち上段側の内側筒胴枠３０Ａ内の各小空間１５から梱包体９０を取り出す前に、外側筒胴枠４０を取り外しておき、その後に内側筒胴枠３０Ａ，３０Ｂを順次取り外すこともできる。また、外側筒胴枠４０を取り外す前に、上段側の内側筒胴枠３０Ａ内から梱包体９０を取り出し、この上段側の内側筒胴枠３０Ａ及び、上段側の内側筒胴枠３０Ａに囲まれた部分の格子部材１０Ａ，１０Ｂ、階層仕切り板２０Ａ，２０Ｂを取り外した後で、外側筒胴枠４０を取り外すこととしてもよい。外側筒胴枠４０を取り外すタイミングは、上記実施形態の場合に限定されるものではなく、二段設けられる内側筒胴枠３０Ａ，３０Ｂのうち下段側の内側筒胴枠３０Ｂ内の各小空間１５から梱包体９０を取り出す前に、外側筒胴枠４０を取り外しておくことで、下段側の内側筒胴枠３０Ｂ及び、この内側筒胴枠３０Ｂで囲まれた部分の格子部材１０Ｃ，１０Ｄ、階層仕切り板２０Ｃだけを残して、梱包箱１００全体の高さを低くすることができる。これにより、下段側の内側筒胴枠３０Ｂの内部に収容された梱包体９０を容易に取り出すことができる。
【００５２】
また、内側筒胴枠３０Ａ，３０Ｂと外側筒胴枠４０とは、それぞれが別々の筒形状の構造で構成され、これら内側筒胴枠３０Ａ，３０Ｂと外側筒胴枠４０とにより二重に梱包された状態となっているため、梱包強度を十分に確保でき、外部からの衝撃が直接梱包体９０に伝わりにくい。つまり、内側筒胴枠３０Ａ，３０Ｂと外側筒胴枠４０との間に一定の間隔Ｃが設けられているので、梱包箱１００の輸送時の横揺れによる振動や衝撃が吸収されやすく、梱包体９０の破損を低減できる。なお、間隔Ｃが３ｍｍ未満であると、外部からの衝撃が梱包体９０に直接伝わりやすくなり、間隔Ｃが２５ｍｍを超えると外部から衝撃が加えられた際に内側筒胴枠３０Ａ，３０Ｂ及び外側筒胴枠４０が変形しやすくなり、いずれの場合も衝撃緩和効果が小さくなる。したがって、間隔Ｃは、３ｍｍ以上２５ｍｍ以下に設けると良い。
【００５３】
また、内側筒胴枠３０Ａ，３０Ｂと外側筒胴枠４０とは容易に組み立て及び分解が可能な構造であるので、作業上の負担は小さくて済む。また、緩衝材等の使用の必要性もないため、梱包箱１００使用後の処理においても環境への影響が低減できる。
【００５４】
さらに、この梱包箱１００においては、梱包箱１００の内部に梱包体９０を梱包する際において、底蓋５０Ｂの重ね縁部５２と最下段の内側筒胴枠３０Ｂとの間にスペーサ６０を配置しておくことで、底蓋５０Ｂの面位置に対して内側筒胴枠３０Ｂを均等位置に配置できるとともに、スペーサ６０の厚みの分だけ、内側筒胴枠３０Ｂと重ね縁部５２との間に間隔をあけた状態を保持できる。そして、外側筒胴枠４０を内側筒胴枠３０Ｂの外側に配置する際にスペーサ６０を取り外すことにより、底蓋５０Ｂの重ね縁部５２と内側筒胴枠３０Ｂとの間に設けられた空間に、底蓋５０Ｂの面位置に対して均等位置に、容易に外側筒胴枠４０を挿入することができる。したがって、梱包箱１００の各部材及び梱包体９０を輸送中での梱包荷崩れを防止でき、安定した梱包体の輸送ができる。
【００５５】
なお、上記第１実施形態の梱包箱１００では、内側筒胴枠３０Ａ，３０Ｂは、格子部材１０Ａ〜１０Ｄを二段ずつ囲う構成とされていたが、これに限定されるものではない。
例えば、図１２に示す第２実施形態の梱包箱１０１や図１３に示す第３実施形態の梱包箱１０２のように、格子部材を二段ずつではなく、数段設けられる格子部材を二等分して得られる段数分の格子部材の周囲を囲う構成とすることもできる。例えば、格子部材を二段で構成する場合には、図１２に示す梱包箱１０１のように、各内側筒胴枠３０Ａ，３０Ｂは、それぞれ一段の格子部材１０Ａと１０Ｂとを囲う構成とすることができる。また、格子部材を六段で構成する場合には、図１３に示す梱包箱１０２のように、各内側筒胴枠３０Ａ，３０Ｂは、それぞれ三段の格子部材１０Ａ〜１０Ｃと１０Ｄ〜１０Ｆとを囲う構成とすることができる。
【００５６】
また、内側筒胴枠は、二等分した段数分の格子部材の周囲に設ける構成に限定されるものでもなく、例えば図１４に示す第４実施形態の梱包箱１０３のように、二段分の格子部材１０Ａ，１０Ｂを囲う上段側の内側筒胴枠３０Ａと三段分の格子部材１０Ｃ〜１０Ｅを囲う下段側の内側筒胴枠３０Ｂとを組み合わせて、それぞれ高さの異なる内側筒胴枠３０Ａ，３０Ｂを二段組み合わせた構成とすることもできる。また、図１５に示す第５実施形態の梱包箱１０４のように、一段分の格子部材１０Ａを囲う上段側の内側筒胴枠３０Ａと二段分の格子部材１０Ｂ，１０Ｃを囲う下段側の内側筒胴枠３０Ｂとを組み合わせることもできる。
【００５７】
さらに、上記第１実施形態の梱包箱１００では、内側筒胴枠３０Ａ，３０Ｂを二段有する構成としていたが、本発明は内側筒胴枠を二段有する構成に限定されるものではなく、図１６〜図１８に示すように、内側筒胴枠を三段以上で構成することもできる。
例えば、内側筒胴枠を三段で構成する場合としては、図１６に示す第６実施形態の梱包箱１０５のように、各内側筒胴枠３０Ａ〜３０Ｃを、それぞれ二段分の格子部材１０Ａ，１０Ｂと１０Ｃ，１０Ｄと、１０Ｅ，１０Ｆとを囲う構成とすることができる。また、図１７に示す第７実施形態の梱包箱１０６のように、一段分の格子部材１０Ａを囲う最上段の内側筒胴枠３０Ａと、二段分の格子部材１０Ｂ，１０Ｃを囲う中段の内側筒胴枠３０Ｂと、三段分の格子部材１０Ｄ〜１０Ｆを囲う最下段の内側筒胴枠３０Ｃとを組み合わせて、それぞれ高さの異なる内側筒胴枠３０Ａ〜３０Ｃを三段組み合わせた構成とすることもできる。さらに、図１８に示す第８実施形態の梱包箱１０７のように、一段分の格子部材１０Ａを囲う内側筒胴枠３０Ａと、ぞれぞれ二段分の格子部材１０Ｂ，１０Ｃと１０Ｄ，１０Ｅとを囲う内側筒胴枠３０Ｂ，３０Ｃとを組み合わせた構成とすることもできる。
【００５８】
このように、三段の内側筒胴枠３０Ａ〜３０Ｃを有する梱包箱１０５〜１０７においては、梱包体９０の梱包時に、二段以上設けられる内側筒胴枠３０Ａ〜３０Ｃのうち最上段から二段目の内側筒胴枠３０Ｂ又は三段目の内側筒胴枠３０Ｃ内の小空間１５に梱包体９０を収容した後に、外側筒胴枠４０を配置することで、下段側の内側筒胴枠３０Ｂ，３０Ｃ内の内部空間に梱包体９０を収容する際に、梱包箱１０５〜１０７全体の高さを低く維持できるので、下段側の内側筒胴枠３０Ｂ，３０Ｃの内部に梱包体９０を容易に収容することができる。
【００５９】
また、梱包箱１０５〜１０７から梱包体９０を取り出す際も同様であり、二段以上設けられる内側筒胴枠３０Ａ〜３０Ｃのうち最上段から二段目の内側筒胴枠３０Ｂ又は三段目の内側筒胴枠３０Ｃ内の各小空間１５から梱包体９０を取り出す前に、外側筒胴枠４０を取り外しておくことで、下段側の内側筒胴枠３０Ｂ，３０Ｃ及び、これら内側筒胴枠３０Ｂ，３０Ｃで囲まれた部分だけを残して、梱包箱１０５〜１０７全体の高さを低くすることができる。これにより、下段側の内側筒胴枠３０Ｂ，３０Ｃの内部に収容された梱包体９０を容易に取り出すことができる。
なお、内側筒胴枠は、二段と三段の構成に限定されるものではなく、三段以上に構成することもできる。
【００６０】
また、上記の第１〜第８実施形態の梱包箱１００〜１０７では、格子部材１０Ａ〜１０Ｆの周囲に突出する各帯板１１の端部の突出長Ｌ２を、それぞれの縦横に配列される帯板１１どうしの間隔Ｌ１と同じ長さに形成し、内側筒胴枠３０Ａ，３０Ｂの内部空間を均等に分割した複数の小空間１５を区画していたが、図１９及び図２０に示す第９実施形態の梱包箱１０８のように、各帯板１１の端部の突出長Ｌ２（図２０参照）を帯板１１どうしの間隔Ｌ１よりも短く形成することにより、格子部材１０Ｈ〜１０Ｋの外周部（外周の帯板）と内側筒胴枠３０Ａ、３０Ｂとの間に緩衝空間１８を設けることとしてもよい。この場合、緩衝空間１８を設けることで、内側筒胴枠３０Ａ，３０Ｂと梱包体９０との間に一定の空間を確保することができるので、さらに外部からの衝撃を梱包体９０に伝わりにくくできる。
【００６１】
なお、本実施形態では、梱包対象として塊状多結晶シリコンＷを収納した梱包体９０を挙げたが、これに限定されるものではない。例えば、棒状の多結晶シリコンを切断したロッド形状物等や単結晶シリコンを梱包した梱包体、あるいはシリコン部材以外のものでもよく、本発明では、これらの梱包体を含めた梱包対象を輸送物と称している。
【符号の説明】
【００６２】
１０Ａ〜１０Ｆ，１０Ｈ〜１０Ｋ  格子部材
１１  帯板
１５  小空間
１８  緩衝空間
２０Ａ〜２０Ｅ  階層仕切り板
３０Ａ〜３０Ｃ  内側筒胴枠
３１，３２，４１，４２，４３  中芯
３３，３４，３５，４４，４５，４６，４７  ライナ
４０  外側筒胴枠
５０Ａ  天蓋
５０Ｂ  底蓋
５１  平面部
５２  重ね縁部
６０  スペーサ
８０  作業台
９０  梱包体（輸送物）
１００，１０１，１０２，１０３，１０４，１０５，１０６，１０７，１０８  梱包箱
【図１】
2017019563.tif 000003
【図２】
2017019563.tif 000004
【図３】
2017019563.tif 000005
【図４】
2017019563.tif 000006
【図５】
2017019563.tif 000007
【図６】
2017019563.tif 000008
【図７】
2017019563.tif 000009
【図８】
2017019563.tif 000010
【図９】
2017019563.tif 000011
【図１０】
2017019563.tif 000012
【図１１】
2017019563.tif 000013
【図１２】
2017019563.tif 000014
【図１３】
2017019563.tif 000015
【図１４】
2017019563.tif 000016
【図１５】
2017019563.tif 000017
【図１６】
2017019563.tif 000018
【図１７】
2017019563.tif 000019
【図１８】
2017019563.tif 000020
【図１９】
2017019563.tif 000021
【図２０】
2017019563.tif 000022